(57)【要約】【課題】  貯湯式給湯装置において、貯湯タンクを増設するときの配管材料の無駄を省く。【解決手段】  貯湯タンク４０１の下方に、この貯湯タンクに水を供給する給水管３１４を配置する。貯湯タンクの下部に、第１の接続管３２１の一端側を接続する。第１の接続管は、この接続部を基点として回動自在である。第１の接続管を回動自在としたので、その他端側を給水管以外の配管にも接続可能である。貯湯式給湯機を単独使用するときには、第１の接続管の接続部３４２を給水管に接続し、給水管から貯湯タンクを経由して給湯口に至るタンク給湯回路を形成する。また、増設タンク４０５を増設するときは、接続部だけを外し、増設タンクの配管３５５を接続部に接続する。【選択図】図５
2008075916.tif 000002
【特許請求の範囲】
【請求項１】
湯沸し部で沸かした湯を貯湯する貯湯タンクを有する給湯装置において、前記貯湯タンクの下方にこの貯湯タンクに水を供給する給水管を配設するとともに、貯湯タンクの下部に第１の接続管の一端側を接続し、この第１の接続管の他端側を前記給水管とこの給水管以外の配管とに選択的に接続するときには、第１の接続管の一端側を基点として他端側を変位させることを特徴とする貯湯式給湯装置。
【請求項２】
前記第１の接続管の他端側と前記給水管とを接続可能な第２の接続管を設け、この第２の接続管と前記給水管との接続側を基点として第２の接続管の他端側を変位可能とし、この他端側に前記第１の接続管以外の配管を接続可能としたことを特徴とする請求項１記載の貯湯式給湯装置。
【請求項３】
前記貯湯タンクの外周部を覆うカバー部材を有し、前記第１の接続管の高さを、前記カバー部材を外したときに前記第１の接続管の接続を可能とする高さとしたことを特徴とする請求項１記載の貯湯式給湯装置。
【請求項４】
前記第１の接続管が接続される増設タンクとこの増設タンクの外周部を覆うように形成された増設タンク室とを有し、この増設タンクが備える出湯管およびタンク入口管を、前記増設タンク室の側面に形成した貫通穴から挿入し、前記第１の接続管を前記給水管とこの給水管以外の配管とに選択的に接続可能としたことを特徴とする請求項１記載の貯湯式給湯装置。
【請求項５】
前記第１の接続管は可撓性を有する蛇腹管状部を有し、この第１の接続管を前記給水管または給水管以外の配管に接続可能としたことを特徴とする請求項１記載の貯湯式給湯装置。
【請求項６】
前記第１の接続管の他端側を、前記給水管または給水管以外の配管に接続するときには、第１の接続管の一端側を基点としてこの第１の接続管の管軸周りに他端側を変位させることを特徴とする請求項１に記載の貯湯式給湯装置。
【発明の詳細な説明】
【技術分野】
【０００１】
本発明は、貯湯タンクを有する貯湯式給湯装置に関する。
【背景技術】
【０００２】
貯湯タンクを有する温水器の例が、特許文献１に記載されている。この後方に記載の温水器では、給水管の配管変更や筐体内での配管変更を不要とするために、貯湯タンクの上部に出湯管を接続している。そして、貯湯タンクの下部に第１の連結管の一端を接続し、循環配管の他端側に第２の連結管の一端を接続している。第１の連結管と第２の連結管を接続管により接続している。
【０００３】
貯湯タンクを有する給湯器の例が、特許文献２に開示されている。この公報に記載の給湯器では、各貯湯タンクの底部から逆Ｔ字型の水管を延ばし、各貯湯タンクへの給水配管を接続している。また、特許文献３に記載の給湯機では、ヒートポンプ運転で加熱した温水を直接給湯している。そして、給湯使用後にタンク貯湯運転を実行してから運転停止する、いわゆる毎回貯湯運転機能を付加することにより貯湯タンクの容量を小形化し、一般家庭に容易に給湯機を据付けられるようにしている。
【０００４】
【特許文献１】特開平８−５１４５号公報
【特許文献２】特開２００４−２０１２４号公報
【特許文献３】特開２００５−９７２４号公報
【発明の開示】
【発明が解決しようとする課題】
【０００５】
上記特許文献１または２に記載の給湯システムにおいては、給湯機等の設置後に家族構成の変化などにより湯水の使用量が増加した場合に、貯湯タンクを増設して給湯量の増加に対応することが記載されている。しかしながら、これらの公報に記載の給湯システムにおいては、新たな接続配管を用いて増設タンクを追加設置するようにしているので、増設前に主ユニットの貯湯タンクと循環配管とを接続していた接続管が不要になり、配管材料の無駄が生じる。また、増設の際には配管の接続部を緩めたりする作業が必要となるが、接続部位置があまりに地面に近かったり、逆に非常に高所であれば、作業性が低下する。特に、屋外に配置されるので、軒下等の僅かなスペースを利用して配置するときには、作業空間の確保が重要となる。また、特許文献３では、毎回貯湯運転機能を付加して大型のタンクの設置を不要としているが、短時間で大容量の湯を必要とするときに、タンク容量の不足からそのような需要に対応できないことについては、考慮されていない。
【０００６】
本発明は、上記従来技術の不具合に鑑みなされたものであり、その目的は、貯湯式給湯装置において、貯湯タンクの増設にも対応できるようにすることにある。その際、配管材料を無駄に使用しないようにする。
【課題を解決するための手段】
【０００７】
上記目的を達成するために、本発明は、湯沸し部で沸かした湯を貯湯する貯湯タンクを有する給湯装置において、貯湯タンクの下方にこの貯湯タンクに水を供給する給水管を配設するとともに、貯湯タンクの下部に第１の接続管の一端側を接続したもので、第１の接続管の他端側を給水管とこの給水管以外の配管とに選択的に接続するときには、第１の接続管の一端側を基点として他端側を変位させるようにしたものである。
【０００８】
そしてこの構成において、第１の接続管の他端側と給水管とを接続可能な第２の接続管を設け、この第２の接続管と給水管との接続側を基点として第２の接続管の他端側を変位可能とし、この他端側に第１の接続管以外の配管を接続可能とするのがよい。また、貯湯タンクの外周部を覆うカバー部材を有し、第１の接続管の高さを、カバー部材を外したときに第１の接続管の接続が可能となる高さとするのがよい。
【０００９】
また上記構成において、第１の接続管が接続される増設タンクとこの増設タンクの外周部を覆うように形成された増設タンク室とを有し、この増設タンクが備える出湯管およびタンク入口管を、増設タンク室の側面に形成した貫通穴から挿入し、第１の接続管を給水管とこの給水管以外の配管とに選択的に接続可能としてもよく、第１の接続管は可撓性を有する蛇腹管状部を有し、この第１の接続管を給水管または給水管以外の配管に接続可能としてもよい。さらに、第１の接続管の他端側を、給水管または給水管以外の配管に接続するときには、第１の接続管の一端側を基点としてこの第１の接続管の管軸周りに他端側を変位させるようにしてよい。
【発明の効果】
【００１０】
本発明によれば、貯湯タンクを備えた貯湯式給湯装置において、貯湯タンクの下方に接続する配管を、給水管と増設用タンクの出湯管または給水管のいずれかとに選択的に接続可能としたので、増設タンクを増設する場合には、作業が簡単で配管材料が無駄にならない。また、増設タンクが不要の場合には、そのまま給水用の配管として使用でき、新たな配管が不要となる。
【発明を実施するための最良の形態】
【００１１】
以下、本発明にかかる貯湯式給湯装置のいくつかの実施例を、図面を参照しながら説明する。
【実施例１】
【００１２】
図１に、貯湯式給湯装置の一実施例を、システム図で示す。貯湯式給湯装置は、ヒートポンプ給湯機１０であり、ヒートポンプ冷媒回路１００および給湯回路５００を有している。図２に、図１に示したヒートポンプ給湯機１０を、斜視図で示す。なお、図示しないが、ヒートポンプ給湯機１０は、運転制御手段を有している。
【００１３】
ヒートポンプ冷媒回路１００は、２サイクル方式であり、各部品を２個ずつ有する。そして、冷媒を圧縮して高温高圧の流体とする圧縮機１０１，１０２,圧縮機１０１,１０２で加温された冷媒の温熱で水を加熱する水冷媒熱交換器（湯沸し部）１２０，膨張弁等で構成される減圧装置１０５，１０６，周囲空気と冷媒とが熱交換する空気冷媒熱交換器
１０７，１０８とを、順次冷媒配管を介して接続して構成される。水冷媒熱交換器１２０は冷媒側伝熱管１０３，１０４を有している。ヒートポンプ冷媒回路１００の冷媒側配管内には、二酸化炭素等の冷媒が封入されている。
【００１４】
水冷媒熱交換器（湯沸し部）１２０は、冷媒側伝熱管１０３，１０４の他に給水側伝熱管２０６，２０７も備えている。冷媒側伝熱管１０３，１０４と給水側伝熱管２０６，
２０７とは、互いの流れが対向流となるように配置されており、冷媒の熱を給水が受けて熱交換する。これらは、給湯回路５００の湯沸し部としても作用する。
【００１５】
給湯回路５００は、詳細を後述する直接給湯回路２００およびタンク給湯回路３００，貯湯回路４００を備えている。直接給湯回路２００は、ヒートポンプ冷媒回路１００で加熱された温水を、直接供給する回路である。直接給湯回路２００は、給水金具等よりなる給水口２０１および給水用減圧弁２０２，給水水量センサ２０３，給水管３１１，３１３，機内循環逆止弁２０４、水熱交換量センサ２０５，給水側伝熱管２０６，２０７，タンク熱交混合弁２０８，湯水混合弁２０９，給湯流量調整弁２１０，給湯金具等よりなる給湯口２１１を有しており、これらを水配管で順次接続している。なお、給水口２０１は水道などの給水源に接続され、給湯口２１１は台所や風呂の蛇口等に接続されている。
【００１６】
タンク給湯回路３００は、貯湯タンク４０１に貯湯された温水を供給する回路である。詳細を後述する貯湯回路４００が運転されると、貯湯タンク４０１に温水が貯湯される。タンク給湯回路３００は、給水金具等よりなる給水口２０１および給水用減圧弁２０２，給水水量センサ２０３，給水管３１１，給水管３１２,給水管３１４,第１の接続管３２１，貯湯タンク４０１，出湯管３６１，タンク熱交混合弁２０８，湯水混合弁２０９，給湯流量調整弁２１０，給湯金具等よりなる給湯口２１１を有しており、こられを水配管で順次接続している。
【００１７】
貯湯回路４００は、予め設定された所定温度の温水を貯湯タンク４０１に貯めるための水回路である。貯湯回路４００は、貯湯タンク４０１および第１の接続管３２１，給水管３１４，給水管３１５，機内循環ポンプ５０１，水熱交換量センサ２０５，給水側伝熱管２０６，２０７，タンク熱交混合弁２０８，出湯管３６１，貯湯タンク４０１を有しており、これらを水配管で順次接続している。
【００１８】
図示しない運転制御手段が、上記各回路を制御する。例えば、給湯口２１１に接続された台所や風呂の図示しない台所の蛇口を開けて湯水を使用する場合は、運転制御手段は、給水水量センサ２０３の出力に基づいて、圧縮機１０１，１０２を始動させ、ヒートポンプ冷媒回路１００の運転を開始する。それとともに、直接給湯回路２００の運転を開始する。さらに、タンク給湯回路３００の運転も同時に開始する。
【００１９】
ヒートポンプ冷媒回路１００は、圧縮機１０１，１０２で圧縮して高温となった冷媒を水冷媒熱交換器（湯沸し部）１２０の冷媒側伝熱管１０３，１０４に供給し、給水側伝熱管２０６，２０７に流入する水を加熱して給湯口２１１側へ導く。ヒートポンプ冷媒回路１００を運転した直後の立ち上がり時には、水冷媒熱交換器１２０に供給される冷媒が要求される高温まで上昇しておらず、さらに水冷媒熱交換器１２０全体が冷えているので、水冷媒熱交換器１２０における冷媒による水の加熱能力が不足する。その結果、ヒートポンプ冷媒回路１００を運転した直後では、湯水温度が一般的な給湯温度、例えば４２℃より低い。
【００２０】
この給湯能力不足を補うために、一般的な給湯温度より高い温度、例えば、６０〜９０℃の湯水を貯湯する貯湯タンク４０１を設ける。そして、貯湯タンク４０１に貯えられた高温の湯水を、タンク給湯回路３００を運転させて出湯管３６１からタンク熱交混合弁
２０８へ導く。その後、タンク熱交混合弁２０８で、直接給湯回路２００から供給される所定温度に達していない湯水と混合させる。さらに、湯水混合弁２０９で、給水口２０１から供給された給水と混合して、所定の温度、例えば、４２℃程度まで湯温を低下させて、給湯口２１１から供給する。
【００２１】
ところで、貯湯タンク４０１の容量は、一般的には、３０〜１００リットル程度である。これは、ヒートポンプ給湯機１０を家庭に配設することを念頭においているからであり、狭いスペースしか得られない場合でもヒートポンプ給湯機１０の設置を可能にするためである。ヒートポンプ給湯機１０を設置した後に、家族構成が変化したりして、湯水の使用量が増加したときには、増設タンク４０２〜４０５を取り付ければ、さらに利便性が増す。図１では、仮想線にて増設タンク４０２〜４０５を示している。
【００２２】
増設タンクを取り付けて、使用湯量の増大に対処する例を、図２および図３を用いて、説明する。図３は、図２におけるＡ−Ａ矢視断面図である。貯湯式給湯装置９０は、貯湯式給湯機６０と増設ユニット８０を有している。貯湯式給湯機６０と増設ユニット８０は、複数の固定具９１により、取り付け取外し可能に固定されている。貯湯式給湯機６０は、外観をほぼ直方体の筐体６１で覆われており、筐体６１は仕切部材７１により、空気流通口６４，６５を有する空冷室６２側と、タンク室７０側とに区画されている。
【００２３】
空冷室６２内に、空気冷媒熱交換器１０７，１０８および空気冷媒熱交換器１０７，
１０８に強制通風するファンモータ付きファン６３を設置する。タンク室７０内に、水冷媒熱交換器（湯沸し部）１２０および給水用減圧弁２０２，機内循環逆止弁２０４，貯湯タンク４０１，第１の接続管３２１，３３３，第２の接続管３３１，接続部３３２，給水管３１４，凍結防止ヒータ７６，操作盤７５を設置する。
【００２４】
タンク室７０内に設けた給水用減圧弁２０２および機内循環逆止弁２０４，第１の接続管３２１，３３３，第２の接続管３３１，接続部３３２，給水管３１４は、貯湯タンク
４０１および水冷媒熱交換器１２０の温熱が作用するように、貯湯タンク４０１および水冷媒熱交換器１２０の近傍に設置する。すなわち、貯湯タンク４０１と水冷媒熱交換器
１２０の温熱を利用して、給水用減圧弁２０２や機内循環逆止弁２０４，第１の接続管
３２１，３３３，第２の接続管３３１，接続部３３２，給水管３１４等が凍結するのを防止する。これにより、凍結防止のために設ける凍結防止ヒータ７６に印加する電圧の通電率を、小さくできる。
【００２５】
水道などの給水源に連通する配管を給水口２０１に接続するために、筐体６１のタンク室７０の前面部に、接続作業用開口７２を形成する。接続作業用開口７２の前面には、取り付け取り外し可能に、この接続作業用開口７２を閉塞するカバー部材７３が設けられている。第１の接続管３２１の位置および高さまたは後述する第１の接続管３３３と第２の接続管３３１の位置および高さは、カバー部材７３を外した時に、接続作業ができる位置および高さとする。つまり、増設タンク４０２〜４０５を増設する場合に、配管接続作業を容易に行える位置および高さに、接続作業用開口７２と貫通穴９２を設ける。ここで、配管接続作業を容易に行える位置および高さとは、例えば貯湯タンク４０１の底部より下にあって、回動可能な接続管３３１，３３３を手で回動させる際の作業時に手が入れられる空間の高さ、具体的には平均的な成人男子の手が入る大きさの１０ｃｍ程度である。
【００２６】
貯湯タンク４０１の容量を増加できるように、増設タンク４０５をオプションで取り付ける。増設タンク４０５は、増設ユニット８０の増設筐体８１内に設置されている。増設筐体８１の前面であって、第１の接続管３３６（図１１参照）および第２の接続管３３４（図１１参照）の接続部位置が目視可能な位置に、第１，第２の接続管３３６，３３４の接続部の取り付け取外し作業が可能なように接続作業用開口８２を形成する。接続作業用開口８２の前面には、取外し可能なカバー部材８３が取り付けられている。なお、主ユニットの筐体６１または増設筐体８１の側面部に、配管が通過可能なように貫通穴９２を形成する。
【００２７】
図４を用いて、上記実施例が備える貯湯タンク４０１への給水配管および出湯配管を配管する様子を説明する。図４は、貯湯タンク４０部の正面図である。貯湯タンク４０１の下方には、水道等の給水口２０１から水を供給する給水管３１４が配置されている。タンク給湯回路３００の運転時に、給水管３１４から貯湯タンク４０１に給水される。給水管３１４と貯湯タンク４０１との間には、給水管３１４と貯湯タンク４０１とを接続する略Ｌ字状の第１の接続管３２１が配設されている。貯湯式給湯機６０（図２参照）を単独使用するときは、第１の接続管３２１の上側端部である一端３２１ｃ側を貯湯タンク４０１の下部に接続し、他端側である下端部を給水管３１４に接続する。給水管３１４から貯湯タンク４０１を経由して給湯口２１１（図１参照）に至るタンク給湯回路３００（図１参照）が形成される。
【００２８】
この第１の接続管３２１の接続の際には、第１の接続管３２１が蛇腹状のようなフレキシブル性を有するときは貯湯タンク４０１との接続端３２１ｃを固定したままでも、この接続端３２１ｃを基点として、自由端である端部３２１ｅ側を変位させて、第１の接続管３２１の端部３２１ｅに給水管３１４以外の配管、例えば出湯管３６５（図５参照）を、接続できる。また第１の接続管３２１が、通常の配管を折り曲げたような剛な構成であれば、貯湯タンク４０１との接続部を後述する係止具３７６等での接続とし、この係止具
３７６を緩めることで、第１の接続管３２１をその管軸周りに回動させれば、給水管314以外の配管にも接続できる。
【００２９】
より具体的には、給水管３１４側に略Ｌ字状に延びて、左側の位置３２１ａにあった第１の接続管３２１の接続部３４２だけを外し、係止具３７６で接続された一端３２１ｃの接続を緩め、この端部３２１ｃを基点として接続部３４２で接続を解かれた自由端321ｅを、仮想線で表示した右側位置３２１ｂまで変位または回動させる。一端３２１ｃ側を基点として、他端３２１ｅである自由端を変位させる方法としては、上述の、一端３２１ｃを軸として他端３２１ｅを回動させる方法や、第１の接続管３２１自体が可撓性を有して、可撓性による撓みを利用して一端３２１ｃと他端３２１ｅとの距離寸法を変化させる方法に限るものではない。
【００３０】
第１の接続管３２１が右側の位置３２１ｂになったときに、この第１の接続管３２１の自由端３２１ｅを、貯湯式給湯機６０の筐体６１の側面に設けた貫通穴９２の近傍に位置させる。自由端３２１ｅをこの位置および高さに位置付けたので、貯湯式給湯機６０のその他の部品を取り外したりしなくとも、出湯管３６５（図５参照）を容易に取り付けや取外しできる。なお、貫通穴９２を、ブッシュ９５で閉塞する。
【００３１】
何らかの理由で、貯湯タンク４０１の他に増設タンク４０５を付設する様子を、図５を用いて説明する。図５は、貯湯タンク４０１部の正面図である。図４で示した手順に従って、第１の接続管３２１を接続部３４２で給水管３１４から取り外す。そして、貯湯タンク４０１との接続端３２１ｃを基点として第１の接続管３２１を回動する。本実施例では１８０度回動して、左側の位置３２１ａから右側の位置３２１ｂまで第１の接続管３２１を移動させる。第１の接続管３２１の自由端３２１ｅを、増設タンク４０５の出湯管365に接続する。第１の接続管３２１を外した給水管３１４には、増設タンク４０５のタンク入口管３５５を接続する。このように、増設タンク４０５を有する増設ユニット８０（図２参照）を増設する場合であっても、増設作業が容易になる。しかも、増設の際に既存配管を全て有効に利用でき、既存配管を交換するための新たな配管も不要である。
【００３２】
なお、貯湯式給湯機の筐体６１および増設筐体８１の側面には、タンク入口管３５５や出湯管３６５を通過させるために、貫通穴９２を形成する。貫通穴９２からタンク入口管３５５および出湯管３６５をタンク室７０内に挿入する。これにより、図３で説明した接続作業用開口７２を利用して、容易に配管の接続作業が可能になる。
【００３３】
増設タンク４０５を増設後に、タンク給湯回路３００を運転すると、給水口２０１（図１参照）から供給された給水は、図中の矢印ｋ２の方向に流れる。この場合、増設タンク４０５側を先に給水するので、給水口２０１（図１参照）から供給される比較的温度の低い給水は、増設タンク４０５の下部に流入し、増設タンク４０５内に一旦貯湯される。そして、給水口から供給された給水により押し出された増設タンク４０５の上部に滞留した湯水が、貯湯タンク４０１に給水される。
【００３４】
ここで増設タンク４０５の上部の湯水は、例えば、６０〜９０℃にも達しているから、この高温の湯水が出湯管３６５を経て貯湯タンク４０１に給水されるので、貯湯タンク
４０１側の温度降下を抑制できる。これにより、本実施例においても、凍結防止ヒータ
７６（図２参照）に印加する電圧の通電率を小さくできる。
【００３５】
貯湯タンク４０１下部の配管接続部の詳細を、図６に示した配管部の縦断面図および図７に示した係止具３７６の斜視図を用いて説明する。貯湯タンク４０１の底部には、接続部金具３７５が取り付けられている。この接続部金具３７５は、略Ｌ字状の第１の接続管３２１の端部に設けられた接続部金具３７４と、螺合する。その際、第１の接続管３２１の端部３２１ｃを基点として、第１の接続管３２１は回動可能である。つまり、接続部
３４２を外すと、点線で示した接続管位置３２１ａから実線で示した接続管位置３２１ｂまで、第１の接続管３２１が回動できる。
【００３６】
接続部３４２を外された第１の接続管３２１の自由端３２１ｅ部には、接続部金具371が設けられている。図から明らかなように、接続部金具３７１は、給水管３１４の一端
３１４ｅに設けた接続部金具３７２および出湯管３６５の一端３６５ｅに設けた接続部金具３７２に、選択的に取り付け可能である。接続部金具３７１，３７２との気密を保持するために、シールリング３７３が接続部金具３７１，３７２間に配置されている。第１の接続管３２１は、その一端３２１ｃを基点として回動でき、第１の接続管３２１の他端
３２１ｅに給水管３１４と給水管３１４以外の配管である、例えば出湯管３６５（図５参照）とを、選択的に接続可能である。
【００３７】
接続部３４２が外力等により外れるのを防止するために、接続部金具３７１，３７２の外周側に、接続部金具３７１，３７２を保持する係止具３７６を配置する。係止具３７６は、図７に示すように、接続部金具３７１の係止部３７６ｂと、接続部金具３７２の係止部３７６ａ部とを有し、弾力性を有している。係止具３７６は、バネ鋼板等により一体に形成している。係止具３７６を、開口部３７６ｃから接続部３４２に着脱可能に挿入できる。
【００３８】
上記構成とした本実施例では、貯湯タンク４０１の下方に、この貯湯タンク４０１に水を供給する給水管３１４を配設し、貯湯タンク４０１の底部に一端を接続した第１の接続管３２１を設け、第１の接続管３２１の一端３２１ｃを基点として他端３２１ｅを変位させることができるので、第１の接続管３２１の他端３２１ｅを給水管３１４以外の配管にも接続できる。その結果、貯湯式給湯機６０を単独使用するときは、第１の接続管の反貯湯タンク端３２１ｅを給水管３１４に接続すれば、給水管３１４から貯湯タンク４０１を経由して給湯口２１１に至るタンク給湯回路３００を形成できる。また、増設タンク405を有する増設ユニット８０を増設するときは、接続部３４２のみを外して、この接続部
３４２に増設するタンクの配管を接続すればよく、増設作業が簡単で、しかも、既存配管を有効に活用できる。
【００３９】
本実施例によれば、第１の接続管３２１の位置および高さを、給水口の接続作業用開口７２を閉塞するカバー部材７３を外したときに、配管接続作業が可能な位置および高さとしているので、増設タンク４０５の増設用配管接続作業が容易になる。また、増設タンクの出湯管３６５およびタンク入口管３５５を、タンク室の側面に設けた貫通穴９２から挿入して接続作業用開口７２から接続作業が出来るようにしたので、出湯管３６５およびタンク入口管３５５との取り付け取外し作業が容易になる。
【実施例２】
【００４０】
本発明に係る貯湯式給湯装置の他の実施例を、図８および図９を参照しながら説明する。図８に、貯湯タンク４０１部の正面図を示す。図９に、増設タンク４０２を有する貯湯タンク４０１部を、正面図で示す。図８（ａ）は、通常運転時の配管接続状態を示し、同図（ｂ）は、配管の一部を外した時の配管接続状態を示す。
【００４１】
貯湯タンク４０１の下部には、タンク給湯回路３００の運転時に、貯湯タンク４０１に給水口２０１（図１参照）から給水を供給するタンク入口管３５１と給水管３が配設されている。給水管３１４とタンク入口管３５１との間には、給水管３１４とタンク入口管
３５１とを接続する、第１の接続管３３３と第２の接続管３３１とが設けられている。
【００４２】
第１の接続管３３３と第２の接続管３３１との中間に、着脱可能な接続部３３２を設ける。接続部３３２を外しただけで、第２の接続管３３１と第１の接続管３３３の接続部位置が、変位可能である。接続部３３２は、第２の接続管３３１側の接続部材３３２ａと、第１の接続管３３３側の接続部材３３２ｂとを有している。接続部３３２を外し、第１の接続管３３３を、図８（ｂ）に示すように、タンク入口管３５１を軸として１８０°回動させれば、左側の位置３３３ａから右側の位置３３３ｂに移動する。すなわち、接続部
３３２を外しただけで、第２の接続管の接続部３３２ａと第１の接続管の接続部３３２ｂに、増設タンク４０２（図９参照）の配管を連結できる。
【００４３】
右側の位置３３３ｂまで第１の接続管３３３を移動させると、接続部３３２ｂは、貯湯式給湯機６０の筐体６１の側面に設けた貫通穴９３の近傍に位置する。この接続部332ｂに、出湯管３６２（図９参照）を取外し可能に取り付ける。そして、この取り付け取り外し作業に好適な位置および高さとなるように、接続部３３２ｂを位置付ける。なお、作業時以外には、貫通穴９３をブッシュ９６により覆う。
【００４４】
貯湯タンク４０１に増設タンク４０２を取り付ける様子を、図９を用いて説明する。図８（ａ）の状態において、接続部３３２を外し、第２の接続管３３１を給水管３１４の管軸周りに１８０°回動させて、上側の位置３３１ａから下側の位置３３１ｂに移動させる。下側の位置３３１ｂの右端に位置する自由端に設けた接続部３３２ａに、増設タンク
４０２のタンク入口管３５２を接続する。このとき、図８（ａ）の状態において、接続部３３２を外して、第１の接続管３３３をタンク入口管３５１の管軸周りに１８０°回動させる。第１の接続管３３３は、左側の位置３３３ａから右側の位置３３３ｂに移動する。第１の接続管３３３の自由端に設けた接続部３３２ｂに、増設タンク４０２の出湯管362を接続する。
【００４５】
すなわち、図８（ａ）の状態において、その他の接続部はそのままにして接続部３３２を外すだけで、第２の接続管３３１および第１の接続管３３３を増設タンク４０２のタンク入口管３５２および出湯管３６２に接続できる。その結果、増設タンク４０２を増設しても、既存配管を有効利用でき、既存配管に代わる新たな配管を使用する必要がないので、無駄になる接続管が無い。
【００４６】
ここで、タンク入口管３５２および出湯管３６２を通過させるために、貯湯式給湯機
６０の筐体６１および増設筐体８１の側面には、貫通穴９３，９４が形成されている。貫通穴９３，９４から、出湯管３６２やタンク入口管３５２をタンク室７０内に挿入する。これにより、接続作業用開口７２（図３参照）を用いて、配管の接続作業が可能になる。そのため、増設タンク４０２を増設する場合には、増設のための配管接続作業が容易になる位置および高さに、貫通穴９３，９４を設ける。作業時以外は、この貫通穴９３，９４を、ブッシュ９６，９７で閉塞する。
【００４７】
本実施例では、増設タンク４０２を増設した後にタンク給湯回路３００を運転すると、給水口２０１（図１参照）から供給された給水は、矢印ｋ１に従った流れとなる。つまり、増設タンク４０２側から先に給水しているので、給水口２０１から供給される比較的温度の低い給水は、増設タンク４０２の下部に流入し、増設タンク４０２内に一旦貯えられる。そして給水により押し出された増設タンク４０２の上部に滞留している高温、例えば、６０〜９０℃の湯水が、出湯管３６２から貯湯タンク４０１に給湯される。貯湯タンク４０１側の温度降下を抑制できる。この場合も、凍結防止ヒータ７６（図２参照）に印加する電圧の通電率を小さくできる。
【００４８】
本実施例によれば、第１の接続管３３３の自由端である接続部３３２ｂと、給水管314との間に第２の接続管３３１を設け、第２の接続管３３１の給水管３１４側端部を基点として反対端側に設けた接続部３３２ａを変位させることを可能にしたので、接続部332ａを第１の接続管３３３と増設タンクのタンク入口管３５２とに選択的に接続できる。また、増設タンク４０２を増設する時に、接続部３３２（３３２ａ，３３２ｂ）を外すだけで、接続部３３２（３３２ａ，３３２ｂ）に増設タンク４０２の配管３５２，３６２を接続することができる。その結果、増設作業の工程を低減でき、既存配管に代わる新たな配管が不要になる。
【００４９】
本実施例によれば、第１の接続管３３３と第２の接続管３３１との位置および高さが、接続作業用開口７２を閉塞するカバー部材７３を外した時に、接続作業を容易に行える位置および高さにあるので、増設タンク４０２等を増設する場合の配管接続作業が容易になる。増設タンクの出湯管３６２およびタンク入口管３５２を、タンク室７０の側面に形成した貫通穴９３，９４から挿入し、接続作業用開口７２を利用して接続作業が出来るので、出湯管３６２およびタンク入口管３５２の取り付け取外し作業が容易になる。
【００５０】
本実施例によれば、第２の接続管３３１と第１の接続管３３３の双方について、一端側をほぼ固定した状態で他端側を変位できるので、増設タンク４０２のタンク入口管３５２と出湯管３６２との距離Ｌ３を任意に設定できる。タンク入口管３５２や出湯管３６２が貫通する貫通穴９３，９４を単純な円形穴に設定できるので、穴あけ加工作業が容易になる。
【実施例３】
【００５１】
本発明に係る貯湯式給湯装置のさらに他の実施例を、図１０および図１１を参照しながら説明する。図１０，図１１に、貯湯式給湯装置１０が備える貯湯タンク４０１および増設タンク４０２部を、正面図で示す。図１１では、増設する貯湯タンクが２個になっている。本実施例では、図９に示した実施例と同様に、増設タンク４０３を配設した後、増設タンク４０３にさらに増設タンク４０４を付加している。ただし、図８，図９に示した実施例とは異なり、新たな増設タンク４０４の追加が可能なように、増設タンク４０３の底部の配管構造を貯湯タンク４０１の底部の配管構造と同様にしている。さらに、増設タンク４０４の底部の配管構造も、貯湯タンク４０１底部の配管構造と同様にして、更なる増設にも対応できるようにしている。
【００５２】
増設タンク４０３の底部には、給水口２０１（図１参照）から供給された給水を導くタンク入口管３５３と、給水管３１４に連結された連結管３８１が配設されている。連結管３８１とタンク入口管３５３との間には、第２の接続管３３４と第１の接続管３３６が配設されている。第２の接続管３３４と第１の接続管３３６との中間には、着脱可能な接続部３３５が設けられている。接続部３３５を外すだけで、第２の接続管３３４および第１の接続管３３６の接続部位置を、それぞれ変位可能である。接続部３３５は、第２の接続管３３４側の部材３３５ａと、第１の接続管３３６側の部材３３５ｂとを有している。
【００５３】
その他の接続部を固定したまま、接続部３３５だけを外すと、図１１に示すように、第１の接続管３３６はタンク入口管３５３の管軸周りに回動可能になる。第１の接続管336を１８０°回動させて、左側の位置３３６ａから右側の位置３３６ｂに移動させる。接続部３３５を外すだけで、第２の接続管の接続部３３５ａと第１の接続管の接続部３３５ｂに、増設タンク４０４（図１１参照）の配管が連結可能になる。
【００５４】
図１０において、第２の接続管３３４の接続部３３５を外し、連結管３８１との接続部を基軸として連結管３８１の管軸周りに第２の接続管３３４を１８０度回動させる。すると図１１において、第２の接続管３３４は図の上側の位置３３４ａから図の下側の位置
３３４ｂに移動する。この状態で、自由端側である接続部３３５ａに、増設タンク４０４と連結する連結管３８２を接続する。
【００５５】
このとき、第１の接続管３３６の接続部３３５を外し、第１の接続管３３６をタンク入口管３５３との接続部を基軸としてタンク入口管３５３の管軸周りに１８０度回動させる。図１１において、第１の接続管３３６は図の左側の位置３３６ａから図の右側の位置
３３６ｂに移動する。第１の接続管３３６の自由端側である接続部３３５ｂに、増設タンク４０４の出湯管３６４を接続する。
【００５６】
同様に、第２の増設タンク４０４の下部にも、タンク入口管３５４と連結管３８２が配設されており、これら連結管３８２とタンク入口管３５４との間には、中間部に、着脱可能な接続部３３８を有する第２の接続管３３７と第１の接続管３３９とを設けている。したがって、接続部３３８を外すだけで、容易に増設タンクを増設できる。
【００５７】
本実施例によれば、増設タンク４０３下部に設けた第２の接続管３３４および第１の接続管３３６のそれぞれの接続部位置３３５ａ，３３５ｂを取り外し可能とし、取り外した後に位置を変えることができるようにしたので、接続部にさらに増設タンク４０４を増設することができる。その結果、増設タンク４０４を増設する時に、接続部を外すだけで、増設するタンクの配管を容易に接続でき、増設作業が簡単でしかも配管変更のために新たな配管を用いる必要がない。なお、第２の接続管３３４，３３７同士または第１の接続管３３６，３３９同士を同一の寸法に設定するか、あるいは、連結管３８１，３８２同士を同一の寸法に設定すれば、部品の標準化が図られ、製造コストを低減できる。
【実施例４】
【００５８】
本発明に係る貯湯式給湯装置１０のさらに他の実施例を、図１２を用いて説明する。図１２に、貯湯式給湯装置１０の貯湯タンク４０１の下部を断面で示す。第１の接続管340の管部３４０ａは、例えば、可撓性を有する蛇腹管状に形成されている。第１の接続管
３４０が点線で示した給水管３１４と連結しているときには、接続部位置３４１ａは左側に位置し、実線にて示した出湯管３６５と連結しているときには、接続部位置３４１ｂは右側に位置する。このとき、接続位置３４１ａから接続位置３４１ｂに変化するときに第１の接続管３４０の変化角度Θｘは、３０°ないし２００°程度となる。第１の接続管
３４０は可撓性を有するので、このように接続位置が変化しても容易にいずれの位置でも接続できる。なお、タンク入口管３５１の先端に設けた接続部金具３７７からの距離Ｌ１，Ｌ２が、数１０パーセント程度変化しても、第１の接続管３４０が可撓性を有するので、距離の増減にも対応できる。
【００５９】
本実施例によれば、第１の接続管３４０の管部を可撓性を有する蛇腹管状としたので、第１の接続管３４０の接続部位置を容易に変えることができ、増設タンク等を増設するときに、増設タンクの設置位置の尤度が増す。また、増設タンクの増設作業が容易になり、既設の配管を利用できるので、増設のために新たな配管を準備する必要がない。
【図面の簡単な説明】
【００６０】
【図１】本発明に係る貯湯式給湯装置の一実施例の概略構成を示すシステム図である。
【図２】図１に示した貯湯式給湯装置の斜視図である。
【図３】図２におけるＡ−Ａ矢視断面図である。
【図４】図１に示した貯湯式給湯装置が有する貯湯タンクの配管接続を説明する図である。
【図５】図１に示した貯湯式給湯装置が有する増設タンクの配管接続を説明する図である。
【図６】図１に示した貯湯式給湯装置が有する接続管を説明する図である。
【図７】図１に示した貯湯式給湯装置が有する係止具の斜視図である。
【図８】本発明に係る貯湯式給湯装置が備える貯湯タンクの他の実施例の配管接続を説明する図である。
【図９】本発明に係る貯湯式給湯装置が備える増設タンクの他の実施例の配管接続を説明図である。
【図１０】本発明に係る貯湯式給湯装置が備える貯湯タンクおよび増設タンクのさらに他の実施例の配管接続を説明する図である。
【図１１】本発明に係る貯湯式給湯装置が備える増設タンクのさらに他の実施例における配管接続を説明する図である。
【図１２】本発明にかかる貯湯式給湯装置が備える接続管の他の実施例の配管接続を説明する図である。
【符号の説明】
【００６１】
６０  貯湯式給湯機
６１  貯湯式給湯機の筐体
６２  空冷室
６３  ファンモータ付きファン
６４，６５  空気流通口
７０  タンク室
７１  仕切部材
７２，８２  接続作業用開口
７３，８３  カバー部材
７５  操作盤
７６  凍結防止ヒータ
８０  増設ユニット
８１  増設筐体
９０  貯湯式給湯装置
９１  固定具
９２〜９４  貫通穴
９５〜９７  ブッシュ
１００  ヒートポンプ冷媒回路
１０１，１０２  圧縮機
１０３，１０４  冷媒側伝熱管
１０５，１０６  減圧装置
１０７，１０８  空気冷媒熱交換器
１２０  水冷媒熱交換器（湯沸し部）
２００  直接給湯回路
２０１  給水口
２０２  給水用減圧弁
２０３  給水水量センサ
２０４  機内循環逆止弁
２０５  水熱交換量センサ
２０６，２０７  給水側伝熱管
２０８  タンク熱交混合弁
２０９  湯水混合弁
２１０  給湯流量調整弁
２１１  給湯口
３００  タンク給湯回路
３１１〜３１５  給水管
３２１，３３３，３３６，３３９，３４０  第１の接続管
３３１，３３４，３３７  第２の接続管
３３２，３３５，３３８，３４１，３４２  接続部
３５１〜３５５  タンク入口管
３６１〜３６５  出湯管
３７１，３７２，３７４，３７５，３７７  接続部金具
３７３  シールリング
３７６  係止具
３８１，３８２  連結管
４００  貯湯回路
４０１  貯湯タンク
４０２〜４０５  増設タンク
５００  給湯回路
５０１  機内循環ポンプ
【図１】
2008075916.tif 000003
【図２】
2008075916.tif 000004
【図３】
2008075916.tif 000005
【図４】
2008075916.tif 000006
【図５】
2008075916.tif 000007
【図６】
2008075916.tif 000008
【図７】
2008075916.tif 000009
【図８】
2008075916.tif 000010
【図９】
2008075916.tif 000011
【図１０】
2008075916.tif 000012
【図１１】
2008075916.tif 000013
【図１２】
2008075916.tif 000014